(57)【特許請求の範囲】
【請求項１】
少なくとも、パーソナル携帯端末を識別するための携帯端末識別情報と、当該パーソナル携帯端末の所有者の個人識別情報とを紐付けした個人識別情報データベースを備えると共に、複数のカラオケ演奏端末とネットワーク接続されたサーバを有し、利用者が所有するパーソナル携帯端末を用いて、任意のカラオケ演奏端末と関連付けられたカラオケリモコン装置を介し、当該カラオケ演奏端末を含むカラオケシステムにログインすることが可能であって、ログイン準備情報表示手段と、ログイン準備情報取得手段と、ログイン情報送信手段と、ログイン情報受信手段と、認証情報作成手段と、認証情報送信手段と、ログイン認証手段と、を備え、
前記ログイン準備情報表示手段は、利用者がログインを所望するカラオケ演奏端末の演奏端末識別情報又は当該カラオケ演奏端末に関連付けられたカラオケリモコン装置のリモコン識別情報の少なくとも一方と、前記サーバへ情報を送信する際に使用する接続情報とを含むログイン準備情報を表示し、
前記ログイン準備情報取得手段は、ログイン操作を行う任意のパーソナル携帯端末において前記ログイン準備情報を取得し、
前記ログイン情報送信手段は、前記取得したログイン準備情報に含まれる演奏端末識別情報又はリモコン識別情報の少なくとも一方と、前記パーソナル携帯端末の携帯端末識別情報とからなるログイン情報を、前記取得したログイン情報に含まれる接続情報に基づいて、当該パーソナル携帯端末の通信網を介して前記サーバへ送信し、
前記ログイン情報受信手段は、前記パーソナル携帯端末から送信されてきたログイン情報を受信し、
前記認証情報作成手段は、受信したログイン情報に含まれる携帯端末識別情報により特定されるパーソナル携帯端末の所有者の個人識別情報が、前記個人識別情報データベースに存在する場合に、当該個人情報に関連付けた認証情報を作成し、
前記認証情報送信手段は、前記認証情報が作成された場合に、受信したログイン情報に含まれるリモコン識別情報を有するカラオケリモコン装置又は受信したログイン情報に含まれる演奏端末識別情報を有するカラオケ演奏端末の少なくとも一方に対して前記個人識別情報及び前記認証情報を送信すると共に、前記特定に用いられた携帯端末識別情報を有するパーソナル携帯端末に対して前記認証情報を送信し、
前記ログイン認証手段は、任意のカラオケリモコン装置又はカラオケ演奏端末に入力された認証情報と、当該カラオケリモコン装置又はカラオケ演奏端末が取得している認証情報とが一致するか否かを確認し、両者が一致した場合に、当該入力された認証情報に関連付けられた個人識別情報により特定される利用者のログインを認証する、
ことを特徴とするパーソナル携帯端末を用いたカラオケログインシステム。
【請求項２】
前記認証情報には、所定の有効期限が設定されており、
前記ログイン認証手段では、有効期限内の認証情報のみについてログインを認証する、
ことを特徴とする請求項１に記載のパーソナル携帯端末を用いたカラオケログインシステム。
【発明の詳細な説明】
【技術分野】
【０００１】
本発明は、利用者が所有するパーソナル携帯端末を用いて、任意のカラオケ演奏端末と関連付けられたカラオケリモコン装置を介し、当該カラオケ演奏端末を含むカラオケシステムにログインすることが可能なカラオケログインシステムに関するものである。
【背景技術】
【０００２】
近年普及している通信カラオケシステムでは、会員情報管理サーバにおいて会員情報をデータベース化して管理している。そして、会員情報管理サーバにネットワーク接続された複数のカラオケ演奏端末を含むカラオケシステムにおいて、利用者がログインを行うと、会員情報管理サーバから会員情報を取得して、利用者を特定して選曲予約操作等を行うことができるようになっている。
【０００３】
このようなカラオケ演奏端末を含むカラオケシステムでログインを行うには、当該カラオケ演奏端末に関連付けられている（ペアリングされている）カラオケリモコン装置を用いて、利用者ＩＤ及びパスワードを入力しなければならない。ところで、近年では、銀行カード、クレジットカード、各種の店舗における会員カード、インターネットショッピング等において、それぞれ利用者ＩＤ及びパスワードが設定されており、これらのカードやサービスを利用する際には、利用者ＩＤやパスワードの入力が必須となっている。
【０００４】
しかし、複数のカードやサービスに対して、同一の利用者ＩＤ及びパスワードを設定したり、利用者ＩＤ及びパスワードを紙媒体等に記載しておいたりすることは、セキュリティ面で好ましくなく、利用者は、数多くの利用者ＩＤやパスワードを暗記しておかなければならない。そして、数多くの利用者ＩＤやパスワードを暗記している場合には、カードやサービスの利用に際して、利用者ＩＤやパスワードを思い出せない場合がある。
【０００５】
このような不都合に対して、特にカラオケ演奏端末を含むカラオケシステムにおいて、ＩＤカードを用いてシステムログインする技術が普及している（例えば、特許文献１参照）。この特許文献１に記載されている技術は、カラオケリモコン装置に、利用者ＩＤ記録媒体であるＩＣカードに記憶された利用者情報を読み取るためのカードリーダが設けられている。そして、利用者が自らのＩＣカードをカードリーダにセットすると、利用者ＩＤ取得手段の機能により、利用者ＩＤを識別して取得し、取得された利用者ＩＤが中央制御部に送信される。利用者ＩＤは、ネットワーク通信回線を介してカラオケホスト装置へ転送され、当該利用者がカラオケシステムにログインすることができるようになっている。
【先行技術文献】
【特許文献】
【０００６】
【特許文献１】特開２００７−１９３２７３号公報
【発明の概要】
【発明が解決しようとする課題】
【０００７】
しかしながら、ＩＣカードを利用したログインシステムであっても、ＩＣカードの所持を忘れてしまえば、ＩＣカードによるログインを行うことができず、結局、カラオケリモコン装置を用いて、利用者ＩＤ及びパスワードを入力しなければならないことになり、上述した問題を解決するには至っていない。
【０００８】
ところで、現在普及している携帯電話機やスマートフォン等のパーソナル携帯端末は、撮像機能を備えており、２次元バーコード等を読み込むことができる。また、パーソナル携帯端末は、電話機能だけではなく、ｅ−ｍａｉｌやデータの送受信機能を備えており、各種のデータを送受信することができる。さらに、このような機能を有するパーソナル携帯端末は、一般大衆の間で広く普及している。したがって、このようなパーソナル携帯端末の機能を利用することにより、ＩＣカードを所持しない場合や、パスワードを忘れてしまった場合であっても、カラオケ演奏端末へ容易にログインすることが可能なシステムを構築することができる。
【０００９】
本発明は、上述した事情に鑑み提案されたもので、利用者が所有するパーソナル携帯端末を用いて、任意のカラオケ演奏端末と関連付けられたカラオケリモコン装置を介し、当該カラオケ演奏端末を含むカラオケシステムに容易にログインすることができるようにしたものである。
【課題を解決するための手段】
【００１０】
本発明のパーソナル携帯端末を用いたカラオケログインシステムは、上述した目的を達成するため、以下の特徴点を有している。すなわち、本発明のパーソナル携帯端末を用いたカラオケログインシステムは、少なくとも、パーソナル携帯端末を識別するための携帯端末識別情報と、当該パーソナル携帯端末の所有者の個人識別情報とを紐付けした個人識別情報データベースを備えると共に、複数のカラオケ演奏端末とネットワーク接続されたサーバを有し、利用者が所有するパーソナル携帯端末を用いて、任意のカラオケ演奏端末と関連付けられたカラオケリモコン装置を介して、当該カラオケ演奏端末を含むカラオケシステムにログインすることが可能であって、ログイン準備情報表示手段と、ログイン準備情報取得手段と、ログイン情報送信手段と、ログイン情報受信手段と、認証情報作成手段と、認証情報送信手段と、ログイン認証手段とを備えたことを特徴とするものである。
【００１１】
ログイン準備情報表示手段は、利用者がログインを所望するカラオケ演奏端末の演奏端末識別情報又は当該カラオケ演奏端末に関連付けられたカラオケリモコン装置のリモコン識別情報の少なくとも一方と、サーバへ情報を送信する際に使用する接続情報とを含むログイン準備情報を表示するための手段である。ログイン準備情報取得手段は、ログイン操作を行う任意のパーソナル携帯端末においてログイン準備情報を取得するための手段である。
【００１２】
ログイン情報送信手段は、取得したログイン準備情報に含まれる演奏端末識別情報又はリモコン識別情報の少なくとも一方と、パーソナル携帯端末の携帯端末識別情報とからなるログイン情報を、取得したログイン情報に含まれる接続情報に基づいて、当該パーソナル携帯端末の通信網を介してサーバへ送信するための手段である。ログイン情報受信手段は、パーソナル携帯端末から送信されてきたログイン情報を受信するための手段である。
【００１３】
認証情報作成手段は、受信したログイン情報に含まれる携帯端末識別情報により特定されるパーソナル携帯端末の所有者の個人識別情報が、個人識別情報データベースに存在する場合に、当該個人情報に関連付けた認証情報を作成するための手段である。認証情報送信手段は、認証情報が作成された場合に、受信したログイン情報に含まれるリモコン識別情報を有するカラオケリモコン装置又は受信したログイン情報に含まれる演奏端末識別情報を有するカラオケ演奏端末の少なくとも一方に対して個人識別情報及び認証情報を送信すると共に、特定に用いられた携帯端末識別情報を有するパーソナル携帯端末に対して認証情報を送信するための手段である。
【００１４】
ログイン認証手段は、任意のカラオケリモコン装置又はカラオケ演奏端末に入力された認証情報と、当該カラオケリモコン装置又はカラオケ演奏端末が取得している認証情報とが一致するか否かを確認し、両者が一致した場合に、当該入力された認証情報に関連付けられた個人識別情報により特定される利用者のログインを認証するための手段である。
【００１５】
また、上述した構成に加えて、認証情報には、所定の有効期限が設定されており、ログイン認証手段では、有効期限内の認証情報のみについてログインを認証することが可能である。
【００１６】
このような構成からなるカラオケログインシステムでは、ログイン準備情報表示手段の機能により、例えば、カラオケリモコン装置の入出力画面にログイン準備情報を表示する。このログイン準備情報は、例えば、２次元バーコードからなり、パーソナル携帯端末（携帯電話、スマートフォン等）のバーコード読み取り機能（ログイン準備情報取得手段）により読み取りことができる。ログイン準備情報には、利用者がログインしようとしているカラオケ演奏端末の演奏端末識別情報（例えば、演奏端末ＩＤ）又はカラオケリモコン装置のリモコン識別情報（例えば、リモコンＩＤ）の少なくとも一方と、サーバへ情報を送信する際に使用する接続情報（サーバのＵＲＬ、メールアドレス等）が含まれている。
【００１７】
利用者は、パーソナル携帯端末のログイン準備情報取得手段の機能により、２次元バーコート化されたログイン準備情報を読み取らせる。そして、ログイン情報送信手段の機能により、取得したログイン情報に含まれる接続情報に基づいて、当該パーソナル携帯端末の通信網を介して、サーバへログイン情報を送信する。ログイン情報には、ログイン準備情報に含まれる演奏端末識別情報又はリモコン識別情報の少なくとも一方と、パーソナル携帯端末の携帯端末識別情報とが含まれている。
【００１８】
サーバでは、ログイン情報送信手段の機能により、パーソナル携帯端末から送信されてきたログイン情報を受信する。そして、認証情報作成手段の機能により、ログイン情報（携帯端末識別情報）により特定されるパーソナル携帯端末の所有者の個人識別情報が、個人識別情報データベースに存在するか否かを確認し、当該個人識別情報が個人識別情報データベースに存在する場合に、当該個人情報に関連付けた認証情報を作成する。
【００１９】
認証情報が作成されると、認証情報送信手段の機能により、受信したログイン情報に含まれるリモコン識別情報を有するカラオケリモコン装置又は受信したログイン情報に含まれる演奏端末識別情報を有するカラオケ演奏端末の少なくとも一方に対して個人識別情報及び認証情報を送信する。さらに、所有者の特定に用いられた携帯端末識別情報を有するパーソナル携帯端末に対して認証情報を送信する。
【００２０】
そして、ログイン認証手段の機能により、任意のカラオケリモコン装置又はカラオケ演奏端末に入力された認証情報と、当該カラオケリモコン装置又はカラオケ演奏端末が取得している認証情報とが一致するか否かを確認する。ここで、両者が一致した場合に、当該入力された認証情報に関連付けられた個人識別情報により特定される利用者のログインを認証する。
【００２１】
また、認証情報に有効期限が設定されている場合には、有効期限内の認証情報である場合のみに、ログインを認証する。
【発明の効果】
【００２２】
本発明のパーソナル携帯端末を用いたカラオケログインシステムによれば、パーソナル携帯端末のログイン準備情報取得手段の機能を用いてログイン情報を取得し、このログイン情報をサーバに送信して認証情報を作成する。認証情報は、少なくともカラオケリモコン装置及びパーソナル携帯端末に送信されるので、サーバから受信した認証情報をカラオケリモコン装置に入力することにより、当該カラオケリモコン装置とペアリングされたカラオケ演奏端末を含むカラオケシステムにログインすることができる。
【００２３】
したがって、利用者は、カラオケシステムにログインする際に、利用者ＩＤ及びパスワードを記憶している必要がなく、また、ＩＤカード等を所持していなくても、パーソナル携帯端末を用いて、カラオケ演奏端末を含むカラオケシステムへ容易にログインすることができる。
【図面の簡単な説明】
【００２４】
【図１】本発明の実施形態に係るカラオケログインシステムの機能説明図。
【図２】本発明の実施形態に係るカラオケログインシステムの構成を示すブロック図。
【図３】本発明の実施形態に係るカラオケログインシステムにおけるログイン準備情報表示画面の模式図。
【図４】本発明の実施形態に係るカラオケログインシステムにおけるログイン認証画面の模式図。
【図５】本発明の実施形態に係るカラオケログインシステムにおけるログイン手順を示すタイミングチャート。
【発明を実施するための形態】
【００２５】
以下、図面を参照して、本発明のパーソナル携帯端末を用いたカラオケログインシステムの実施形態について説明する。図１〜図５は本発明の実施形態に係るカラオケログインシステムを示すもので、図１はカラオケログインシステムの機能説明図、図２はカラオケログインシステムのブロック図、図３はログイン準備情報表示画面の模式図、図４はログイン認証画面の模式図、図５はログイン手順を示すタイミングチャートである。
【００２６】
＜カラオケログインシステムの概要＞
本発明の実施形態に係るカラオケログインシステム１０は、少なくとも、パーソナル携帯端末３０を識別するための携帯端末識別情報と、当該パーソナル携帯端末３０の所有者の個人識別情報とを紐付けした個人識別情報データベース２４を備えると共に、複数のカラオケ演奏端末４０とネットワーク接続されたたサーバ（個人情報管理サーバ２０）を有し、利用者が所有するパーソナル携帯端末３０を用いて、任意のカラオケ演奏端末４０と関連付けられたカラオケリモコン装置６０を介し、当該カラオケ演奏端末４０を含むカラオケシステムにログインすることが可能なシステムである。
【００２７】
なお、図２において、カラオケリモコン装置６０をカラオケ演奏端末４０の構成要素として図示しているが、これは、カラオケ演奏端末４０においてカラオケリモコン装置６０が関連付けられている（ペアリングされている）ことを示すものであり、カラオケリモコン装置６０又はカラオケ演奏端末４０の少なくとも一方に情報を送信すると記載した場合には、カラオケリモコン装置６０に直接情報を送信する場合と、カラオケ本体４１を介してカラオケリモコン装置６０に情報を送信する場合と、カラオケ本体４１のみに情報を送信する場合とを含むものとする。
【００２８】
また、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。また、メールアドレスとはｅ−ｍａｉｌアドレスのことであり、メールとはｅ−ｍａｉｌのことである。
【００２９】
このカラオケログインシステム１０は、図１に示すように、ログイン準備情報表示手段６３と、ログイン準備情報取得手段３１と、ログイン情報送信手段３２と、ログイン情報受信手段２１と、認証情報作成手段２２と、認証情報送信手段２３と、ログイン認証手段６４とを備えている。本実施形態では、ログイン準備情報表示手段６３、ログイン認証手段６４は、カラオケリモコン装置６０の構成要素となっており、ログイン準備情報取得手段３１、ログイン情報送信手段３２は、パーソナル携帯端末３０の構成要素となっており、ログイン情報受信手段２１、認証情報作成手段２２、認証情報送信手段２３は、サーバ（個人情報管理サーバ２０）の構成要素となっている。各手段の機能については、後に詳述する。
【００３０】
＜カラオケログインシステム＞
本発明の実施形態に係るカラオケログインシステム１０は、図１及び図２に示すように、個人情報管理サーバ２０と複数のカラオケ演奏端末４０とが通信ネットワーク（本実施形態では、インターネット８０）を介して相互に接続されて、カラオケシステムを構築している。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット８０により構成されるＶＰＮを利用することが好ましい。
【００３１】
＜個人情報管理サーバ＞
個人情報管理サーバ２０は、個人情報の管理及び認証情報の作成等を行うサーバとして機能するものであり、図２に示すように、ログイン情報受信手段２１、認証情報送信手段２３、個人識別情報データベース２４を備えている。なお、図示しないが、個人情報管理サーバ２０は、上述した手段の他に、データの送受信機能、データの管理機能、データの記憶機能等、サーバとしての基本的な機能を備えている。また、個人情報管理サーバ２０を個人情報の管理及び認証情報の作成等を行うサーバとして機能させるのではなく、各手段の機能を発揮するサーバを個別に構築してもよいし、他の機能を有するサーバに各手段の機能を兼ね備えさせてもよい。
【００３２】
＜個人識別情報データベース＞
個人識別情報データベース２４は、少なくとも、パーソナル携帯端末３０を識別するための携帯端末識別情報と、当該パーソナル携帯端末３０の所有者の個人識別情報とを紐付けしたデータベースであり、この個人識別情報データベース２４を参照することにより、携帯端末識別情報に基づいて、当該パーソナル携帯端末３０の所有者を特定することができる。なお、個人識別情報データベース２４は、携帯端末識別情報及び個人識別情報の他に、個人に関する属性情報（性別、年齢、居住地等）を含んでいてもよい。
【００３３】
＜ログイン情報受信手段＞
ログイン情報受信手段２１は、パーソナル携帯端末３０から送信されてきたログイン情報を受信するためのプログラムからなる。後に詳述するが、ログイン情報は、パーソナル携帯端末３０から送信されてきたログイン準備情報に含まれる演奏端末識別情報又はリモコン識別情報の少なくとも一方と、パーソナル携帯端末３０の携帯端末識別情報とからなる。ログイン情報受信手段２１により受信した携帯端末識別情報は、個人識別情報の特定に利用され、演奏端末識別情報、リモコン識別情報は、それぞれカラオケ演奏端末４０、カラオケリモコン装置６０の特定に利用される。
【００３４】
＜認証情報作成手段＞
認証情報作成手段２２は、受信したログイン情報に含まれる携帯端末識別情報により特定されるパーソナル携帯端末３０の所有者の個人識別情報が、個人識別情報データベース２４に存在する場合に、当該個人情報に関連付けた認証情報を作成するためのプログラムからなる。すなわち、パーソナル携帯端末３０からログイン情報が送信されてくると、ログイン情報受信手段２１により当該ログイン情報を受信する。そして、認証情報作成手段２２の機能により、受信したログイン情報に含まれる携帯端末識別情報が個人識別情報データベース２４に存在するか否かを確認する。
【００３５】
すなわち、受信したログイン情報に含まれる携帯端末識別情報が個人識別情報データベース２４に存在するということは、当該携帯端末識別情報により特定される利用者が登録利用者であるため、当該登録利用者によるログインを認証するための認証情報を作成する。
【００３６】
なお、認証情報作成手段２２で生成する認証情報には、有効期限を設定することが好ましい。認証情報に有効期限が設定されている場合には、当該有効期限が過ぎた認証情報を用いてもログインが認証されないので、悪戯によるログイン等を防止して、カラオケシステムを円滑に運用することができる。
【００３７】
＜認証情報送信手段＞
認証情報送信手段２３は、認証情報が作成された場合に、受信したログイン情報に含まれるリモコン識別情報を有するカラオケリモコン装置６０又は受信したログイン情報に含まれる演奏端末識別情報を有するカラオケ演奏端末４０の少なくとも一方に対して個人識別情報及び認証情報を送信すると共に、特定に用いられた携帯端末識別情報を有するパーソナル携帯端末３０に対して認証情報を送信するためのプログラムからなる。
【００３８】
なお、カラオケリモコン装置６０とカラオケ演奏端末４０とは、予め関連付けられている（ペアリングされている）ため、カラオケリモコン装置６０又はカラオケ演奏端末４０のいずれか一方又は双方に、個人識別情報とこれに関連付けられた認証情報を送信することにより、ログイン認証を行うことができる。
【００３９】
本実施形態では、カラオケリモコン装置６０にログイン認証手段６４の機能を持たせているため、カラオケリモコン装置６０に対して、個人識別情報とこれに関連付けられた認証情報を送信すればよい。本実施形態では、個人情報及び認証情報は、カラオケ演奏端末４０を介してカラオケリモコン装置６０に送信されるが、インターネット８０を介して、直接、カラオケリモコン装置６０に個人情報及び認証情報を送信してもよい。
【００４０】
＜カラオケ演奏端末＞
カラオケ演奏端末４０は、図２に示すように、カラオケ本体４１、カラオケリモコン装置６０、スピーカ４２、マイクロホン４３、表示装置４４、ミキシングアンプ４５を備えている。
【００４１】
＜カラオケリモコン装置＞
カラオケリモコン装置６０は、図２に示すように、カラオケ本体４１のローカル送受信手段５６との間で有線方式又は無線方式によりデータの送受信を行うようになっている。このカラオケリモコン装置６０は、楽曲検索手段６１として機能するプログラム、楽曲索引データベース６２、ログイン準備情報表示手段６３、ログイン認証手段６４、ユーザインタフェース機能を有する入出力表示部６５、リモコンメモリ６６を備えている。なお、カラオケリモコン装置６０は、カラオケ本体４１との間でデータの送受信を行うためのプログラム及び電子機器（図示せず）を備えている。このカラオケリモコン装置６０に付帯するスイッチ類や、入出力表示部６５に表示される各種のアイコン等を操作することにより、選曲操作等が行われる。
【００４２】
＜楽曲検索手段／楽曲索引データベース＞
楽曲検索手段６１は、利用者の指示に基づき、楽曲索引データベース６２を参照して楽曲を検索するためのプログラムからなる。楽曲索引データベース６２は、カラオケ演奏端末４０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段６１により楽曲検索を行うと、例えば、カラオケリモコン装置６０の入出力表示部６５に、検索結果が一覧表示される。
【００４３】
＜ログイン準備情報表示手段＞
ログイン準備情報表示手段６３は、利用者がログインを所望するカラオケ演奏端末４０の演奏端末識別情報又は当該カラオケ演奏端末４０に関連付けられたカラオケリモコン装置６０のリモコン識別情報の少なくとも一方と、サーバ（個人情報管理サーバ２０）へ情報を送信する際に使用する接続情報とを含むログイン準備情報を表示するためのプログラムからなる。例えば、演奏端末識別情報はカラオケ演奏端末４０の機器ＩＤやネットワークアドレスからなり、リモコン識別情報はカラオケリモコン装置６０の機器ＩＤやネットワークアドレスからなり、接続情報は、個人情報管理サーバ２０のＵＲＬやメールアドレスからなる。図３に示すように、本実施形態では、ログイン準備情報は２次元バーコード化されて入出力表示部６５に表示される。
【００４４】
＜ログイン認証手段＞
ログイン認証手段６４は、任意のカラオケリモコン装置６０又はカラオケ演奏端末４０に入力された認証情報と、当該カラオケリモコン装置６０又はカラオケ演奏端末４０が取得している認証情報とが一致するか否かを確認し、両者が一致した場合に、当該入力された認証情報に関連付けられた個人識別情報により特定される利用者のログインを認証するためのプログラムからなる。
【００４５】
なお、ログイン認証手段６４をカラオケ演奏端末４０（カラオケ本体４１）の機能とした場合には、ログイン認証手段６４は、個人識別情報及び認証情報を取得したパーソナル携帯端末３０の利用者がカラオケ演奏端末４０（カラオケ本体４１）に認証情報を入力すると、当該入力された認証情報と、当該カラオケ演奏端末４０（カラオケ本体４１）が取得している認証情報とが一致するか否かを確認し、両者が一致した場合に、当該入力された認証情報に関連付けられた個人識別情報によるログインを認証する。
【００４６】
＜入出力表示部＞
入出力表示部６５は、例えば、タッチセンサを備えた液晶表示装置を備えており、表示画面に種々のアイコン表示等が行われ、アイコン表示等をタッチペンによりタッチすることにより、楽曲の検索、選曲予約、音程キーの変更、ログイン情報の表示等、種々の操作を行うことができる。
【００４７】
＜リモコンメモリ＞
リモコンメモリ６６は、カラオケリモコン装置６０において、各種のデータを記憶するための装置で、本実施形態では、ログイン情報６６ａ及び認証情報６６ｂが記憶されている。
【００４８】
＜カラオケ本体＞
カラオケ本体４１は、図２に示すように、ネットワーク送受信手段５１、中央制御手段５２、ＲＯＭ５３、ＲＡＭ５４、ＨＤＤ５５、ローカル送受信手段５６、予約管理手段５７、音楽再生制御手段５８、映像再生制御手段５９を備えている。
【００４９】
＜中央制御手段＞
中央制御手段５２は、カラオケ本体４１を総合的に制御するための手段であり、例えばＣＰＵ及びその周辺機器により構成されており、ＣＰＵ等がＲＯＭ５３等に記憶されたプログラムに従って動作することにより、制御機能を発揮することができるようになっている。
【００５０】
＜ＲＯＭ／ＲＡＭ＞
ＲＯＭ５３は、カラオケ本体４１を構成する各機器を制御するためのプログラムデータや数値データを記憶するための機器で、例えば半導体メモリ等で構成される。また、ＲＡＭ５４は、プログラムや各種データを一時的に記憶する一時記憶領域として機能する装置で、本実施形態では予約待ち行列５４ａが記憶されている。
【００５１】
＜予約待ち行列＞
予約待ち行列５４ａは、選曲予約されたカラオケ楽曲について、演奏順に楽曲ＩＤを並べて構成したデータテーブルである。なお、予約待ち行列５４ａは、楽曲ＩＤの他に、楽曲名、選曲者等のデータを含んでいてもよい。
【００５２】
＜ＨＤＤ＞
ＨＤＤ５５は、大容量記憶装置として機能するもので、楽曲データベース５５ａ及び映像データベース５５ｂが格納されている。なお、ＨＤＤ５５に替えて、あるいはＨＤＤ５５と共に、データを書き替え可能なＤＶＤ等の大容量記憶装置を用いてもよい。
【００５３】
＜楽曲データベース／映像データベース＞
楽曲データベース５５ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース５５ｂは、演奏されるカラオケ楽曲に対応した背景映像を、当該カラオケ楽曲の楽曲ＩＤに対応させた映像ファイルとして所定数格納したデータである。
【００５４】
＜送受信手段＞
ネットワーク送受信手段５１は、カラオケ本体４１と個人情報管理サーバ２０との間で、データの送受信を行うための電子回路及びプログラムからなる。ローカル送受信手段５６は、カラオケ本体４１とカラオケリモコン装置６０との間で、データの送受信を行うための電子回路及びプログラムからなる。本実施形態では、赤外線通信により、カラオケ本体４１とカラオケリモコン装置６０との間でデータの送受信が行われる。
【００５５】
＜予約管理手段＞
予約管理手段５７は、カラオケリモコン装置６０により選曲予約が行われた場合に、選曲予約された楽曲の楽曲ＩＤを演奏順に並べて予約待ち行列５４ａを生成し、この予約待ち行列５４ａをＲＡＭ５４に格納して管理するためのプログラムからなる。
【００５６】
＜音楽再生制御手段＞
音楽再生制御手段５８は、楽曲ＩＤに基づいて楽曲データベース５５ａから抽出された演奏制御データに基づいて、音源データをデジタル再生すると共にアナログ変換してミキシングアンプ４５に出力するための電子回路である。上述したように、ミキシングアンプ４５は、マイクロホン４３から入力された歌唱者の歌唱音声信号と、音楽再生制御手段５８から送出される演奏音声信号とをミキシングすると共に、アンプ機能により増幅してスピーカ４２より出力させるための装置である。
【００５７】
＜映像再生制御手段＞
映像再生制御手段５９は、カラオケ楽曲の演奏中に、映像データベース５５ｂから抽出した背景映像データと、楽曲データベース５５ａに含まれる歌詞描出データ（テロップデータ）とを、当該カラオケ楽曲の演奏データに同期させて表示装置４４に出力するためのプログラムからなる。
【００５８】
＜マイクロホン＞
マイクロホン４３は、歌唱音声の入力を行うための装置である。マイクロホン４３から入力された歌唱音声信号はミキシングアンプ４５に入力され、音楽再生制御手段５８から送出される演奏音声信号とミキシングされると共に増幅されてスピーカ４２へ出力される。
【００５９】
＜表示装置＞
表示装置４４は、カラオケ楽曲に関連した背景映像や歌詞テロップ等を表示するための装置で、例えば、液晶ディスプレイ等により構成される。
【００６０】
＜パーソナル携帯端末＞
パーソナル携帯端末３０は、携帯電話機能、データ通信機能、撮像機能等の基本的な機能の他に、ログイン準備情報取得手段３１、ログイン情報送信手段３２、端末メモリ３３を備えており、例えば、携帯電話、スマートフォン等からなる。
【００６１】
＜ログイン準備情報取得手段＞
ログイン準備情報取得手段３１は、ログイン操作を行う任意のパーソナル携帯端末３０においてログイン情報を取り込むためのプログラムからなる。なお、ログイン情報が２次元バーコード等により表示される場合には、パーソナル携帯端末３０が有する撮像機能により２次元バーコード等が撮影され、ログイン準備情報取得手段３１に２次元バーコード化された情報が取り込まれる。撮像機能は、撮像レンズ及び撮像素子等を備えた撮像手段（デジタルカメラ）により構成される。
【００６２】
＜ログイン情報送信手段＞
ログイン情報送信手段３２は、取得したログイン準備情報に含まれる演奏端末識別情報又はリモコン識別情報の少なくとも一方と、パーソナル携帯端末３０の携帯端末識別情報とからなるログイン情報を、取得したログイン情報に含まれる接続情報に基づいて、当該パーソナル携帯端末３０の通信網（携帯電話網７０、インターネット８０）を介してサーバ（個人情報管理サーバ２０）へ送信するためのプログラムからなる。
【００６３】
＜端末メモリ＞
端末メモリ３３は、パーソナル携帯端末３０において種々のデータを記憶するための装置で、本実施形態では、ログイン準備情報３３ａ、携帯端末識別情報３３ｂ、認証情報３３ｃが記憶されている。なお、携帯端末識別情報３３ｂは、パーソナル携帯端末３０のＵＩＤ、メールアドレス等からなる。
【００６４】
＜ログイン認証＞
次に、図１〜図５を参照して、本実施形態のカラオケログインシステム１０におけるログイン認証について説明する。
【００６５】
本実施形態のカラオケログインシステム１０においてログイン認証を行うには、利用者が、カラオケリモコン装置６０の入出力画面において、ログイン準備情報表示のための操作を行う（例えば、ログイン準備情報表示のためのアイコンをクリックする）。ログイン準備情報表示操作がなされると、図３に示すように、ログイン準備情報表示手段６３の機能により、入出力画面にログイン準備情報を表示する。
【００６６】
このログイン準備情報は、例えば、２次元バーコードからなり、パーソナル携帯端末３０のバーコード読み取り機能（ログイン準備情報取得手段３１の機能）により読み取ることができるようになっている。ログイン準備情報には、利用者がログインしようとしているカラオケ演奏端末４０の演奏端末識別情報（演奏端末ＩＤ等）又はカラオケリモコン装置６０のリモコン識別情報（リモコンＩＤ等）の少なくとも一方と、個人情報管理サーバ２０へ接続するための接続情報（サーバのＵＲＬ、メールアドレス）が含まれている。
【００６７】
利用者は、パーソナル携帯端末３０のバーコード読み取り機能（ログイン準備情報取得手段３１の機能）により、２次元バーコート化されたログイン準備情報を読み取らせる。読み取ったログイン準備情報３３ａは端末メモリ３３に記憶される。そして、ログイン情報送信手段３２の機能により、ログイン準備情報３３ａに含まれる演奏端末識別情報又はリモコン識別情報の少なくとも一方と、携帯端末識別情報３３ｂとからなるログイン情報を、個人情報管理サーバ２０へ送信する。
【００６８】
個人情報管理サーバ２０では、ログイン情報受信手段２１の機能により、携帯端末識別情報と、演奏端末識別情報又はリモコン識別情報の少なくとも一方とを受信する。そして、認証情報送信手段２３の機能により、受信した携帯端末識別情報により特定されるパーソナル携帯端末３０の所有者の個人識別情報が、個人識別情報データベース２４に存在するか否かを判断する。すなわち、受信した携帯端末識別情報により特定されるパーソナル携帯端末３０の所有者に関する情報が既に登録されているか否かを判断する。
【００６９】
ここで、当該個人識別情報が、個人識別情報データベース２４に存在する場合、すなわち、当該個人識別情報を有する利用者が既に登録されている場合には、携帯端末識別情報及びログイン情報に基づいて、カラオケリモコン装置６０及びカラオケ演奏端末４０（カラオケ本体４１）の少なくとも一方に、当該個人識別情報とこれに関連付けられた認証情報を送信すると共に、パーソナル携帯端末３０に認証情報を送信する。認証情報とは、ログインを許可する際に使用する情報であり、有効期限が設定されていることが好ましい。
【００７０】
そして、図４に示すように、認証情報を取得したパーソナル携帯端末３０の利用者がカラオケリモコン装置６０又はカラオケ演奏端末４０（カラオケ本体４１）に認証情報を入力すると、ログイン認証手段６４の機能により、入力された認証情報と、個人情報管理サーバ２０からカラオケリモコン装置６０又はカラオケ演奏端末４０（カラオケ本体４１）に送信された認証情報６６ｂとを比較して、両者の一致を確認する。ここで、両者が一致した場合に、入力された認証情報に関連付けられた個人識別情報によるログインを認証する。一方、両者が一致しない場合には、ログインは認証されず、また、認証情報の有効期限が過ぎているばあいにも、ログインは認証されない。
【００７１】
なお、本実施形態におけるログイン認証は、カラオケリモコン装置６０において行われるが、上述したように、カラオケ演奏端末４０（カラオケ本体４１）にログイン認証手段６４を備えた場合には、カラオケ演奏端末４０（カラオケ本体４１）においてログイン認証が行われる。
【００７２】
＜他の実施形態＞
本発明のパーソナル携帯端末３０を用いたカラオケログインシステム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００７３】
１０  カラオケログインシステム
２０  個人情報管理サーバ
２１  ログイン情報受信手段
２２  認証情報作成手段
２３  認証情報送信手段
２４  個人識別情報データベース
３０  パーソナル携帯端末
３１  ログイン準備情報取得手段
３２  ログイン情報送信手段
３３  端末メモリ
３３ａ  ログイン準備情報
３３ｂ  携帯端末識別情報
３３ｃ  認証情報
４０  カラオケ演奏端末
４１  カラオケ本体
４２  スピーカ
４３  マイクロホン
４４  表示装置
４５  ミキシングアンプ
５１  ネットワーク送受信手段
５２  中央制御手段
５３  ＲＯＭ
５４  ＲＡＭ
５４ａ  予約待ち行列
５５  ＨＤＤ
５５ａ  楽曲データベース
５５ｂ  映像データベース
５６  ローカル送受信手段
５７  予約管理手段
５８  音楽再生制御手段
５９  映像再生制御手段
６０  カラオケリモコン装置
６１  楽曲検索手段
６２  楽曲索引データベース
６３  ログイン準備情報表示手段
６４  ログイン認証手段
６５  入出力表示部
６６  リモコンメモリ
６６ａ  ログイン情報
６６ｂ  認証情報
７０  携帯電話網
８０  インターネット
【図１】
0005709271.tif 000002
【図２】
0005709271.tif 000003
【図３】
0005709271.tif 000004
【図４】
0005709271.tif 000005
【図５】
0005709271.tif 000006